(57)【要約】【課題】分析精度の悪化を防止する。【解決手段】試薬を使用して分析槽内の検体を測定する測定ユニット２と、真空ポンプを有し分析槽内の検体及び試薬を廃液する真空系ユニット１と、真空系ユニット１の圧力を取得する圧力センサ５と、圧力センサ５が取得した圧力から特徴量を抽出する特徴量抽出部７と、特徴量と分析槽内に残存している試薬の液残り量の予測値の相関関係を記憶するデータベース４と、データベース４を参照して特徴量抽出部７が抽出した特徴量に対応する現在の試薬の液残り量を予測する液残り量予測部８と、液残り量予測部８が予測した現在の試薬の液残り量と測定ユニット１が測定した測定値に基づいて分析精度を算出する分析精度算出部９と、を有する分析処理システム９９。【選択図】図１
2018084560.tif 000002
【特許請求の範囲】
【請求項１】
試薬を使用して分析槽内の検体を測定する測定ユニットと、
少なくとも真空ポンプを有し、前記分析槽内の検体及び試薬を廃液する真空系ユニットと、
前記真空系ユニットの圧力を取得する圧力センサと、
前記圧力センサが取得した圧力から特徴量を抽出する特徴量抽出部と、
前記特徴量と前記分析槽内に残存している試薬の液残り量の予測値の相関関係を記憶するデータベースと、
前記データベースを参照して、前記特徴量抽出部が抽出した特徴量に対応する現在の試薬の液残り量を予測する液残り量予測部と、
前記液残り量予測部が予測した現在の試薬の液残り量と前記測定ユニットが測定した測定値に基づいて分析精度を算出する分析精度算出部と、
を有することを特徴とする分析処理システム。
【請求項２】
前記分析精度算出部は、少なくとも、前記試薬の濃度、前記液残り量予測部が予測した試薬の液残り量、前記測定ユニットが測定した検体の濃度、前記検体の真の濃度と前記検体の液量に基づいて、前記分析精度を算出することを特徴とする請求項１に記載の分析処理システム。
【請求項３】
前記圧力センサは、前記真空系ユニットの負圧を取得し、
前記特徴量抽出部は、前記特徴量として一定区間内の負圧のピーク値を抽出し、
前記測定ユニットは、前記測定値として前記検体のイオン濃度又は起電力を測定することを特徴とする請求項１に記載の分析処理システム。
【請求項４】
前記分析精度算出部が算出した分析精度に基づいて、前記測定ユニットが測定した測定値を補正して前記検体の真値を算出する分析誤差補正部を、さらに有することを特徴とする請求項１に記載の分析処理システム。
【請求項５】
前記分析精度算出部が算出した分析精度に基づいて、前記分析槽の清掃タイミングを通知する清掃タイミング検出部を、さらに有することを特徴とする請求項１に記載の分析処理システム。
【請求項６】
前記特徴量抽出部が抽出した前記特徴量の長期的傾向を計算し、前記特徴量の長期的傾向が閾値を超えた場合に、前記真空系ユニットの前記真空ポンプに異常が発生したと判定する異常検知部を、さらに有することを特徴とする請求項１に記載の分析処理システム。
【請求項７】
前記分析精度算出部が前記分析精度の低下を検出した場合に、前記真空系ユニットの前記真空ポンプを制御して前記圧力を正常値に回復させる真空ポンプ制御部を、さらに有することを特徴とする請求項１に記載の分析処理システム。
【請求項８】
前記分析精度算出部が算出した分析精度を表示する表示部を、さらに有することを特徴とする請求項１に記載の分析処理システム。
【請求項９】
前記測定ユニットは、前記検体を比色分析により分析する比色分析部と、前記検体のイオン濃度を分析する電解質分析部を有し、
前記特徴量抽出部から抽出した前記特徴量に基づいて、前記比色分析部と前記電解質分析部の同時稼動による前記分析精度の低下が予測された場合に、前記比色分析部と前記電解質分析部のいずれか一方を動作させる測定ユニット制御部を、さらに有することを特徴とする請求項１に記載の分析処理システム。
【請求項１０】
試薬を使用して分析槽内の検体を測定する測定ユニットと、少なくとも真空ポンプと真空瓶を有し前記分析槽内の検体及び試薬を廃液する真空系ユニットとを備える生化学自動分析装置における分析処理方法であって、
前記分析槽内の検体を測定する工程と、
前記真空ポンプにより前記分析槽内の検体及び試薬を廃液する工程と、
圧力センサにより前記真空瓶の圧力を取得する工程と、
前記圧力センサが取得した圧力から特徴量を抽出する工程と、
予め、前記特徴量と前記分析槽内に残存している前記試薬の液残り量の予測値の相関関係をデータベースに記憶する工程と、
前記データベースを参照して、前記抽出する工程で抽出された特徴量に対応する現在の試薬の液残り量を予測する工程と
前記予測した試薬の液残り量と、前記測定する工程により得られた測定値に基づいて分析精度を算出する工程と、
を有することを特徴とする分析処理方法。
【発明の詳細な説明】
【技術分野】
【０００１】
本発明は、分析処理システム及び分析処理方法に関する。
【背景技術】
【０００２】
血液等の検体の分析を行う際には、通常、血液分析装置などの臨床検査装置が使用されている。この臨床検査装置に関連する技術として、例えば、特許文献１がある。特許文献１では、臨床検査装置の空圧源ユニットの出力を圧力センサで監視し、劣化パラメータが閾値を超えた場合に通知を行っている。
【先行技術文献】
【特許文献】
【０００３】
【特許文献１】特開２０１２−２３３７９８号公報
【発明の概要】
【発明が解決しようとする課題】
【０００４】
しかし、特許文献１では、空圧源ユニットが正常な場合にも生じる分析精度の悪化を検出することはできない。例えば、臨床検査装置等の生化学自動分析装置は、通常、試薬を使用して分析槽内の検体を測定する。そして、測定後に使用済みの試薬を廃棄するための真空ポンプを備えている。しかし、真空ポンプが正常な場合でも、廃棄し切れなかった試薬が液残りとして分析槽内に残ることがある。この試薬の液残りと新たに分析槽内に収容された検体とが分析槽内で混合すると、試薬の液残りが原因で検体の分析精度が悪化してしまう。
【０００５】
本発明の目的は、分析精度の悪化を防止することが可能な分析処理システム及び分析処理方法を提供することにある。
【課題を解決するための手段】
【０００６】
本発明の一態様に係る分析処理システムは、試薬を使用して分析槽内の検体を測定する測定ユニットと、少なくとも真空ポンプを有し、前記分析槽内の検体及び試薬を廃液する真空系ユニットと、前記真空系ユニットの圧力を取得する圧力センサと、前記圧力センサが取得した圧力から特徴量を抽出する特徴量抽出部と、前記特徴量と前記分析槽内に残存している試薬の液残り量の予測値の相関関係を記憶するデータベースと、前記データベースを参照して、前記特徴量抽出部が抽出した特徴量に対応する現在の試薬の液残り量を予測する液残り量予測部と、前記液残り量予測部が予測した現在の試薬の液残り量と前記測定ユニットが測定した測定値に基づいて分析精度を算出する分析精度算出部と、
を有することを特徴とする。
【０００７】
本発明の一態様に係る分析処理方法は、試薬を使用して分析槽内の検体を測定する測定ユニットと、少なくとも真空ポンプと真空瓶を有し前記分析槽内の検体及び試薬を廃液する真空系ユニットとを備える生化学自動分析装置における分析処理方法であって、前記分析槽内の検体を測定する工程と、前記真空ポンプにより前記分析槽内の検体及び試薬を廃液する工程と、圧力センサにより前記真空瓶の圧力を取得する工程と、前記圧力センサが取得した圧力から特徴量を抽出する工程と、予め、前記特徴量と前記分析槽内に残存している前記試薬の液残り量の予測値の相関関係をデータベースに記憶する工程と、前記データベースを参照して、前記抽出する工程で抽出された特徴量に対応する現在の試薬の液残り量を予測する工程と前記予測した試薬の液残り量と、前記測定する工程により得られた測定値に基づいて分析精度を算出する工程と、を有することを特徴とする。
【発明の効果】
【０００８】
本発明によれば、分析精度の悪化を防止することができる。
【図面の簡単な説明】
【０００９】
【図１】実施形態１の分析処理システムの構成図である。
【図２】真空系ユニットの構成図である。
【図３】液残り量と負圧特徴量の関係を示す図である。
【図４】分析精度算出方法の一例の式を示す図である。
【図５】実施形態１に係る測定誤差算出方法を示すフローチャートである。
【図６】液残り量データベースの更新方法を示すフローチャートである。
【図７】実施形態２の分析処理システムの構成図である。
【図８】実施形態３の分析処理システムの構成図である。
【図９】実施形態４の分析処理システムの構成図である。
【図１０】実施形態５の分析処理システムの構成図である。
【図１１】実施形態６の分析処理システムの構成図である。
【図１２】生化学自動分析装置の全体構成を示す図である。
【図１３】希釈槽の汚れの一例を示す図である。
【発明を実施するための形態】
【００１０】
以下、本発明の実施形態を図面を用いて詳細に説明する。
【００１１】
最初に、図１２を参照すると、生化学自動分析装置の全体構成について説明する。生化学自動分析装置1299は、真空系ユニット1200と測定ユニット1201を有する。
【００１２】
測定ユニット1201は、希釈槽（分析槽）1205、内部標準液1206（以下、便宜上、ＩＳと称することもある）、希釈液1207（以下、便宜上、ＤＩＬと称することもある）、比較電極液1208（以下、便宜上、ＲＥＦと称することもある）、イオン選択電極1209、比較電極1210を有する。このような構成の下、イオン選択電極（ISE:Ion Selective Electrode）法により血液や尿などの検体のイオン濃度を分析する。
【００１３】
真空系ユニット1200は、真空ポンプ1202、真空タンク1203、真空瓶1204、廃液ノズル1211を有し、希釈槽1205内の内部標準液1206や希釈液1207（以下、これらを試薬と称することもある）、検体などを吸引して廃液を行う。
【００１４】
分析を開始すると、内部標準液1206が希釈槽1205に吐出される。次に、希釈槽1205内の内部標準液1206がイオン選択電極1209へ吸引される。その後、比較電極液1208が比較電極1210へ吸引される。このとき、比較電極1210に対する内部標準液1206の起電力が測定される。その後、希釈槽1205内に残された内部標準液1206が廃液ノズル1211を介して吸引されて廃棄される。このとき、希釈槽1205内に廃棄し切れなかった内部標準液（試薬）1206が残留する。ここで、希釈槽1205内に残留した内部標準液1206を液残りと呼ぶ。
【００１５】
次に、検体が希釈槽1205に吐出される。このとき、液残りと検体が混合し、測定誤差の原因となる。さらに、希釈液1207が吐出され、検体が規定の希釈倍率に希釈される。内部標準液1206と同様に、希釈された検体の起電力が測定される。その後、希釈槽1205内に残された希釈検体が、廃液ノズル1211で吸引されて廃棄される。さらに、希釈槽1205を洗浄するために内部標準液1206が吐出され、廃液ノズル1211で吸引されて廃棄される。洗浄後は、再び内部標準液1206が吐出され、次の検体を測定する。
【００１６】
液残りは、真空系ユニット1200が正常に動作している場合でも発生する。特に、低濃度の検体では液残りの影響による測定誤差が大きくなる。そのため、検体が低濃度の場合は希釈倍率を既定値より小さく設定して再測定を実施するなどの措置が必要となり、分析スループットの低下要因の一つとなっている。そこで、液残りの影響による測定誤差を算出できれば、希釈倍率の変更および再測定は不要になり、分析スループットを向上できる。測定誤差を算出するためには、希釈槽1205内の液残り量、ＩＳ濃度、希釈槽1205に分注される検体の液量、検体の希釈倍率、測定ユニット1201による検体濃度の測定値を求める必要がある。これらのうち、ＩＳ濃度と検体濃度の測定値は、毎回の測定時に生化学自動分析装置内のメモリに記録される。また、分注される検体の液量および希釈倍率は装置ごとに規定された既知の値である。希釈槽1205内の液残り量は直接測定できないため未知である。しかし、廃液時の真空系ユニット1200の負圧と相関関係があるため、真空系ユニット1200の負圧を測定することで間接的に液残り量を推定することが可能である。
【実施形態１】
【００１７】
実施形態１の分析処理システムは、真空系ユニットから負圧を取得して、負圧と液残り量の相関関係から液残り量を予測し、分析精度の誤差を算出する。
【００１８】
以下、図１を参照して、実施形態１の分析処理システムについて説明する。  
図１に示すように、分析処理システム99は、生化学自動分析装置（図１２参照）6、特徴量抽出部7、液残り量予測部8及び分析精度算出部9を有する。生化学自動分析装置6は、真空系ユニット1、測定ユニット2、測定値メモリ3、液残り量データベース4及び圧力センサ5を有する。このような構成の下、圧力センサ5が取得した真空系ユニット1の負圧値を特徴量抽出部7に転送する。
【００１９】
図２を参照すると、真空系ユニット210は、真空ポンプ220、真空タンク230、真空瓶240を有し、測定ユニット2の希釈槽または反応セル内の試薬および検体の廃液を行う。ここで、真空系ユニット210は、図１の真空系ユニット１、図１２の真空系ユニット1200に対応する。圧力センサ5は、真空瓶240の負圧を取得して特徴量抽出部7に転送する。
【００２０】
特徴量抽出部7は、圧力センサ5が取得した負圧値から特徴量を抽出し、液残り量予測部8に特徴量を転送する。例えば、実施形態１では、特徴量として一定区間の負圧のピーク値を用いる。また、特徴量抽出方法としては、他に平均値や積分値を用いる方法を用いても良い。液残り量データベース4は、負圧の特徴量と液残り量の予測値の関係を記録・保存する。
【００２１】
図３は、特徴量抽出部7が抽出した負圧の特徴量に対する液残り量の予測値310を表すグラフ300の例である。液残り量データベース4は、この液残り量の予測値310を記録・保存している。液残り量予測部8は、特徴量抽出部7が抽出した負圧の特徴量と、液残り量データベース4に記録された特徴量と液残り量との関係から液残り量を予測し、液残り量の予測値を分析精度算出部9に転送する。
【００２２】
測定値メモリ3は、測定ユニット2による検体および試薬のイオン濃度や起電力などの測定結果を記録・保存する。分析精度算出部9は、液残り量予測部8が予測した液残り量と、測定値メモリ3に記録された検体および試薬の測定結果から測定誤差などの分析精度を算出する。
【００２３】
図４は、分析精度算出部9による測定誤差の算出方法400の例である。この例で、試薬濃度とは内部標準液の濃度であり、毎回の測定時に測定値メモリ3に記録される。液残り量は、液残り量予測部8が予測した希釈槽（図１２の希釈槽1205）内の液残り量である。検体濃度測定値は、内部標準液（図１２の内部標準液1206）などの試薬の液残りと希釈液（図１２の希釈液1207）で希釈された検体の混合物の濃度であり、毎回の測定時に測定値メモリ3に記録される。検体液量は、希釈槽（図１２の希釈槽1205）に分注される検体の液量であり、装置ごとに設定された既定値である。希釈倍率は検体液量に対する希釈液（図１２の希釈液1207）の液量の比率であり、装置ごとに設定された既定値である。
【００２４】
次に、図５を参照して、実施形態１に係る測定誤差算出方法について説明する。
【００２５】
まず、生化学自動分析装置が稼動を開始する（ステップ500）。次に、真空系ユニット1の各負圧値に対する液残り量を計算し、液残り量データベース4を更新する（ステップ510）。このステップ510はキャリブレーション時に実施するのが好ましい。
【００２６】
次に、測定ユニット2が検体測定を実施した際の真空系ユニット1（真空瓶240）の負圧値を圧力センサ5が取得し、特徴量抽出部7が負圧の特徴量を抽出して液残り量予測部8に転送する（ステップ520）。
【００２７】
次に、液残り量予測部8が液残り量データベース4を参照して、負圧の特徴量から現在の液残り量を予測して分析精度算出部9に転送する（ステップ530）。
【００２８】
次に、分析精度算出部9が測定値メモリ3から取得した試薬濃度および検体濃度と液残り量から測定誤差を算出する（ステップ540）。
【００２９】
次に、測定が終了したか否かの判定を行い（ステップ550）、終了していない場合はステップ520に進み、終了した場合はステップ560で本処理を終了する。
【００３０】
次に、図６を参照して、図５のステップ510における液残り量データベース4の更新方法について説明する。
【００３１】
まず、生化学自動分析装置がキャリブレーションを開始する（ステップ600）。真空瓶240の負圧を下限から上限まで段階的に変化させつつ、ステップ620からステップ650までの処理を行う（ステップ610）。
【００３２】
次に、測定ユニット2が内部標準液（図１２の内部標準液1206）の起電力を測定し、圧力センサ5がその際の真空瓶240の負圧値を取得する（ステップ620）。
【００３３】
次に、測定ユニット2がキャリブレーションに使用する管理血清である標準液Lおよび標準液Hの起電力を測定する（ステップ630）。
【００３４】
次に、内部標準液（IS）および標準液L、標準液Hの起電力の測定値と、それらの試薬のデータシートに記載された表示値との差から、希釈槽内の内部標準液（IS）の液残り量を算出する（ステップ640）。
【００３５】
次に、算出した液残り量と現在の液残り量データベース4の差を補正値として加えて液残り量データベース4を更新する（ステップ650）。最後に、ステップ660で本処理を終了する。
【００３６】
実施形態１によれば、真空系ユニット１（210）が正常な場合でも、液残りの影響で測定誤差が発生しているにも関わらず、液残り量が直接測定できないため分析精度の悪化を検出困難である場合であっても、検体分析の精度を向上させることができる。つまり、圧力センサ５で真空系ユニット１（210）の負圧を取得し、負圧の特徴量を抽出し、特徴量と液残り量の関係を記録した液残り量データベース４を参照して液残り量を推定し、液残り量と試薬および検体の測定値から測定誤差を自動的に算出する。これにより、検体分析の精度向上に寄与する。
【実施形態２】
【００３７】
図２を参照して、実施形態２の分析処理システムについて説明する。実施形態２では、算出した測定誤差をもとに測定値を補正し、検体分析を高精度化する。
【００３８】
図７を参照すると、実施形態２の分析処理システム700は、図２の分析処理システム200に加えて、分析誤差補正部710を有する。このように、実施形態２の分析処理システム700は、分析誤差補正部710を有する点で、図２の実施形態２の分析処理システム200とは異なる。その他の構成要素については、図２の実施形態２の分析処理システム200とほぼ同じなのでその説明は省略する。
分析誤差補正部710は、分析精度算出部9が算出した測定誤差をもとに、分析対象（検体）の真値を算出する。
【００３９】
特に、検体が低濃度の場合には、液残りの影響による測定誤差が大きくなるため、希釈倍率を既定値より小さく設定して再測定を実施するなどの措置が必要となり、分析スループット低下要因の一つとなっていた。
【００４０】
実施形態２によれば、分析誤差補正部710が液残りの影響による測定誤差を自動的に補正するため、再検が不要となり、分析スループットを向上することができる。
【実施形態３】
【００４１】
最初に、図１３を参照して、希釈槽1205の汚れについて説明する。希釈槽1205において、内部標準液1206などの液残り1301は、主に希釈槽1205の底面に付着する。これに対して、希釈槽1205の壁面にも試薬や検体が飛散して付着することがあり、これらを汚れ1300と呼ぶ。汚れ1300は壁面に付着したまま一定期間留まるため直ちに測定結果に影響を与えることはない。しかし、壁面に付着した汚れ1300は、徐々に底面に落下する他、固体化したものが剥離して液残り1301と混合することがあり、これが分析精度の悪化の原因となる。そのため、希釈槽1205の壁面は定期的な清掃が必要とされる。実施形態３では、希釈槽1205の清掃タイミングを検出するものである。
【００４２】
図８を参照して、実施形態３の分析処理システムについて説明する。図８に示すように、分析処理システム800は、図２の分析処理システム200に加えて、清掃タイミング検出部810を有する。
【００４３】
このように、実施形態３の分析処理システム８００は、清掃タイミング検出部810を有する点で、図２の実施形態２の分析処理システム200とは異なる。その他の構成要素については、図２の実施形態２の分析処理システム200とほぼ同じなのでその説明は省略する。
【００４４】
清掃タイミング検出部810は、濃度が既知の試薬の測定結果と、その試薬の仕様書に記載された濃度の差から計算される測定誤差と、分析精度算出部9が算出した測定誤差を比較し、両者の差が閾値以上の場合は希釈槽1205の汚れが原因であると判定し、清掃タイミングを通知する。濃度が既知の試薬とは、例えばキャリブレーションに使用する管理血清などである。
【００４５】
図１３に示すように、生化学自動分析装置２５０の希釈槽1205あるいは反応セル（図示せず）の壁面には試薬や検体が付着して累積するため、定期的な清掃が推奨されているが、必須のメンテナンス項目ではないため一部ユーザーは清掃を怠って生化学自動分析装置２５０を使い続けるのが実情である。清掃を怠った場合は、壁面の汚れと検体が混合して分析精度が悪化してしまう。
【００４６】
実施形態３によれば、清掃タイミング検出部810が希釈槽1205の壁面の汚れを自動的に検出し清掃タイミングを通知する。これにより、希釈槽1205の清掃を実施することで分析精度の悪化を予防することができる。
【実施形態４】
【００４７】
図９を参照して、実施形態４の分析処理システムについて説明する。実施形態４では、負圧低下による分析精度の悪化が検出された場合に、真空ポンプ２２０を制御して負圧を正常値に回復させ、分析精度の悪化を防止する。
【００４８】
図９を参照すると、実施形態４の分析処理システム９００は、図２の生化学自動分析装置200に加えて、異常検知部910と真空ポンプ制御部920を有する。
このように、実施形態４の分析処理システム９００は、異常検知部910と真空ポンプ制御部920を有する点で、図２の実施形態２の分析処理システム200とは異なる。その他の構成要素については、図２の実施形態２の分析処理システム200とほぼ同じなのでその説明は省略する。
【００４９】
異常検知部910は、特徴量抽出部7が抽出した負圧の特徴量の長期的なトレンド（長期的傾向）を計算し、特徴量のトレンドが閾値を超えた場合は真空ポンプ220の劣化や故障などの異常が発生したと判定し、真空ポンプ制御部920にアラートを転送する。なお、アラートは画面に表示するなどして、使用者に真空系ユニット２１０の異常を通知しても良い。アラートを受信した使用者は真空ポンプ２２０の交換を実施するなどして、真空系ユニット２１０を正常状態に回復させる。
【００５０】
真空ポンプ制御部920は、分析精度算出部9が分析精度の悪化を検出し、かつ異常検知部910が真空ポンプ220の異常を検出していない場合、真空ポンプ220を制御して負圧を正常値に回復する。真空ポンプ２２０の制御方法としては、例えば、真空ポンプ２２０の回転数を変化させる方法や、電磁弁などの開閉を制御して空気流量を調整する方法がある。
【００５１】
希釈槽1205の液残り量と真空系ユニット210の負圧の関係は一般に下に凸の関数となる（図３参照）ため、液残り量が最小となる負圧の最適値が存在する。しかし、生化学自動分析装置２５０が設置された環境の気圧や高度などの影響によって負圧が変化するため、最適値を保持することが困難である。このため、液残り量が増大して分析精度が悪化してしまうことがある。
【００５２】
実施形態４によれば、真空ポンプ制御部920が真空ポンプ220を制御して負圧を最適値付近の正常値に回復するため、外部環境の変化に起因する分析精度の悪化を予防することができる。
【実施形態５】
【００５３】
図１０を参照して、実施形態５の分析処理システムについて説明する。実施形態５では、算出された分析精度、分析精度が悪化したことを通知するアラート、部品交換やメンテナンスのタイミングなどを使用者に表示する。
【００５４】
図１０を参照すると、実施形態５のユニット1110は、図２の分析処理システム200に加えて表示部1001を有する。このように、実施形態５の分析処理システム1000は、表示部1001を有する点で、図２の実施形態２の分析処理システム200とは異なる。その他の構成要素については、図２の実施形態２の分析処理システム200とほぼ同じなのでその説明は省略する。表示部1001は、分析精度算出部9が算出した分析精度を表示する。他に、例えば、測定誤差が閾値以上の場合に、メンテナンスの必要性を促すアラートを使用者に通知するようにしてもよい。
【実施形態６】
【００５５】
図１１を参照して、実施形態６の分析処理システムについて説明する。実施形態６では、生化学自動分析装置１１４０の比色分析部1121と電解質分析部1122が同一の真空系ユニット1110を共有する構成の場合に、比色分析部1121と電解質分析部1122の同時稼動による負圧低下と分析精度悪化を防止する。
【００５６】
電解質分析部1122は、既に説明した図１２における測定ユニット1201と同一の構成を持ち、イオン選択電極（ISE:Ion Selective Electrode）法により検体のイオン濃度を分析する。比色分析部1121は、比色分析により検体を分析する部位であって、検体と試薬を反応セル内で反応させ、その反応液の吸光度を光度計で測定する。
【００５７】
電解質分析部1122と比色分析部1121はそれぞれ独立に動作するが、試薬の廃液を行う真空系ユニット1110を共有している。そのため、電解質分析部1122の廃液と比色分析部1121の廃液が同じタイミングで行われるような場合には、真空系ユニット1110の負圧が一時的に大きく低下し、分析精度が悪化する。
【００５８】
図１１を参照すると、実施形態６の分析処理システム1100は、図２の分析処理システム200に加えて、測定ユニット制御部1150を有する。また、測定ユニット1120は、比色分析部1121、電解質分析部1122を有する。また、真空系ユニット1110は、図２の真空系ユニット210に加えて真空瓶241を有する。さらに、図２の圧力センサ5に加えて、真空瓶241の負圧を取得する圧力センサ1131と、真空タンク230の負圧を取得する圧力センサ1130を有する。その他の構成要素については、図２の実施形態２の分析処理システム200とほぼ同じなのでその説明は省略する。
【００５９】
測定ユニット制御部1150は、比色分析部1121と電解質分析部1122の同時稼動による負圧低下を検出する。そして、この検出結果に応じて、比色分析部1121もしくは電解質分析部1122の一方のみを動作させるなどの制御を行って負圧を回復し分析精度の悪化を防止する。比色分析部1121と電解質分析部1122の同時稼動による負圧低下を検出する方法としては、例えば、特徴量抽出部7が抽出した真空タンク230、真空瓶240、真空瓶241の負圧の特徴量の経時的な変化を取得し、負圧の特徴量が同時かつ一時的に低下した場合は比色分析部1121と電解質分析部1122の同時稼動が原因であると判定する方法などがある。
【００６０】
実施形態６によれば、比色分析部1121と電解質分析部1122の同時稼動による負圧低下が原因の分析精度の悪化を検出して、分析精度を向上することができる。
【００６１】
上記実施形態によれば、試薬の液残りが原因で、真空ポンプが正常な場合にも生じる得る分析精度の悪化を防止することができる。この結果、特に、液残りの影響の大きい低濃度検体に対して管理血清による測定値の補正や希釈倍率変更などが不要となるので、検体分析のスループットが向上する。
【符号の説明】
【００６２】
１  真空系ユニット
２  測定ユニット
３  測定値メモリ
４  液残り量データベース
５  圧力センサ
６  生化学自動分析装置
７  特徴量抽出部
８  液残り量予測部
９  分析精度算出部
【図１】
2018084560.tif 000003
【図２】
2018084560.tif 000004
【図３】
2018084560.tif 000005
【図４】
2018084560.tif 000006
【図５】
2018084560.tif 000007
【図６】
2018084560.tif 000008
【図７】
2018084560.tif 000009
【図８】
2018084560.tif 000010
【図９】
2018084560.tif 000011
【図１０】
2018084560.tif 000012
【図１１】
2018084560.tif 000013
【図１２】
2018084560.tif 000014
【図１３】
2018084560.tif 000015